【事件の表示】
　特許第６２７３１１７号発明「液状化粧料」の特許異議申立事件について、次のとおり決定する。
【結　論】
　特許第６２７３１１７号の請求項１ないし４に係る特許を維持する。
【理　由】
第１　手続の経緯
　特許第６２７３１１７号の請求項１〜４に係る特許（以下、「本件特許」という。）についての出願は、平成２５年９月２６日（優先権主張　平成２４年１１月２７日）に特許出願され、平成３０年１月１２日にその特許権の設定登録がなされ、同年１月３１日に特許掲載公報が発行され、その後、その特許について、同年７月３１日に特許異議申立人　篠崎哲也（「崎」は原文はたつさき。以下「申立人」という。）により特許異議の申立てがされたものである。
　
第２　本件発明
　本件特許に係る発明は、その特許請求の範囲の請求項１〜４に記載された事項により特定される次のとおりものである（以下、特許第６２７３１１７号の請求項１〜４に係る発明を、その請求項に付された番号順に、「本件発明１」等という。また、これらをまとめて「本件発明」ということがある。）。 
　
「【請求項１】
（Ａ）１．０〜５．０質量％のアスコルビン酸グルコシド及び／又は４−メトキシサリチル酸又はその塩、
（Ｂ）０．００１〜０．１質量％のポリアクリル酸又はその金属塩、及び、
（Ｃ）０．０１〜１．０質量％のキサンタンガム、
を含有し、Ｌ値が５０以上の透明又は半透明であることを特徴とする液状化粧料。
　
【請求項２】
（Ｄ）親水性界面活性剤を更に含有することを特徴とする請求項１に記載の液状化粧料。
　
【請求項３】
前記（Ｄ）親水性界面活性剤が、ポリオキシアルキレンアルキルエーテル、ポリオキシアルキレン硬化ヒマシ油、ポリオキシアルキレンフィトステロール、ポリオキシアルキレンジアルキルダイマージオールエーテルからなる群から選択される１種又は２種以上であることを特徴とする請求項２に記載の液状化粧料。
　
【請求項４】
（Ｅ）油分を更に含有し、当該油分の含有量が液状化粧料全量に対して５．０質量％以下であることを特徴とする請求項１から３のいずれか一項に記載の液状化粧料。」
　
第３　申立理由の概要及び提出した証拠
１．申立理由の概要
　申立人は、甲第１〜４号証を提出し、本件特許は、以下の申立理由１及び２により、取り消されるべきものである旨主張している。なお、以下では、各甲号証を指して、それぞれ、単に「甲１」〜「甲４」という。
　
（１）申立理由１（進歩性）
・本件発明１、３、４は、甲１に記載された発明に基づいて、又は甲１に記載された発明及び甲２に記載された事項に基づいて、当業者が容易に発明をすることができたものであって、特許法第２９条第２項の規定により特許を受けることができないものであるから、本件特許は、同法第１１３条第２号に該当し、取り消すべきものである。
　
・本件発明２は、甲１に記載された発明並びに甲２及び甲３に記載された事項に基づいて、当業者が容易に発明をすることができたものであって、特許法第２９条第２項の規定により特許を受けることができないものであるから、本件特許は、同法第１１３条第２号に該当し、取り消すべきものである。
　
（２）申立理由２（進歩性）
・本件発明１〜４は、甲４に記載された発明に基づいて、又は甲４に記載された発明及び甲２に記載された事項に基づいて、当業者が容易に発明をすることができたものであって、特許法第２９条第２項の規定により特許を受けることができないものであるから、本件特許は、同法第１１３条第２号に該当し、取り消すべきものである。
　
２．証拠方法
（１）甲第１号証：特開２０１０−１１６３９２号公報
　
（２）甲第２号証：西成勝好ら監修、「食品・化粧品・医療分野へのゲルの利用」、２０１０年４月２８日第１刷発行、株式会社シーエムシー出版、１２２頁
　
（３）甲第３号証：日本化粧品技術者会編、「化粧品事典」、平成１５年１２月１５日発行、丸善株式会社、３７５、８４５頁
　
（４）甲第４号証：特開２００６−１６３２７号公報
　
第４　甲号証の記載事項
　甲１〜４には、それぞれ以下の記載がある（下線は当合議体による。以下同様）。
１．甲１
（１−１）（【請求項２】）
「（Ａ）トラネキサム酸又はその誘導体から選択される少なくとも１種と、
（Ｂ）０．０１〜０．５質量％のキサンタンガムと、
（Ｃ）グリセリンと、
（Ｄ）キサンタンガム以外の増粘成分とを含有し、
３０℃における粘度が５００ｍＰａ・ｓ以下であり、
前記キサンタンガム以外の増粘成分としてカルボキシビニルポリマーを含有する場合は、当該カルボキシビニルポリマーの含有量が、組成物全質量に対して０．１質量％以下かつキサンタンガム含有量に対して５００質量％以下であることを特徴とする液状皮膚外用剤組成物。」
（１−２）（【請求項４】）
「（Ｅ）親水性両親媒性物質を更に含有することを特徴とする、請求項１から３のいずれか一項に記載の組成物。」
（１−３）（【請求項５】）
「（Ｆ）液状油分を更に含有することを特徴とする、請求項１から４のいずれか一項に記載の組成物。」
（１−４）（【請求項６】）
「肌荒れ改善又は美白を目的としていることを特徴とする、請求項１から５のいずれか一項に記載の組成物。」
（１−５）（段落【００２０】）
「本発明の組成物に含有される他の増粘成分としては、従来から化粧品等に使用されているものでよく、特に限定されないが、例えば、ヒドロキシメチルセルロース、ヒドロキシエチルセルロース、ヒドロキシプロピルセルロース、
カルボキシビニルポリマー
アルキル変性カルボキシビニルポリマー
ポリアクリル酸ナトリウム
（１−６）（段落【００２２】）
「さらに本発明の組成物は、親水性両親媒性物質（成分Ｅ）を更に含有するのが好ましく、これを含有することにより組成物を適用した際の肌へのなじみを更に向上させることができる。」
（１−７）（段落【００２３】）
「本発明の組成物に含有される親水性両親媒性物質としては、従来から化粧品等に使用されているものでよく、特に限定されないが、例えば、ポリオキシエチレン脂肪酸エーテル、ポリオキシエチレン脂肪酸エステル、
ポリオキシエチレンアルキルエーテル
ポリオキシエチレン硬化ヒマシ油
（１−８）（段落【００３１】）
「本発明の組成物は、特に限定されないが、例えば、化粧水（
透明、半透明
（１−９）（段落【００４５】）
「（処方例３）
エッセンス：
配合成分　　　　　　　　　　　　　処方量（質量％）
トラネキサム酸メチルアミド塩酸塩　１．０
アスコルビン酸グルコシド　　　　　２．０
グリチルリチン酸ジカリウム　　　　０．０５
グリセリン　　　　　　　　　　　１０．０
プロピレングリコール　　　　　　　５．０
マルチトール　　　　　　　　　　　３．０
キシリトール　　　　　　　　　　　２．０
アセチル化ヒアルロン酸　　　　　　０．０３
キサンタンガム　　　　　　　　　　０．２
ヒドロキシエチルセルロース　　　　０．０５
（アクリル酸／アクリル酸アルキル（Ｃ１０−３０））コポリマー  ０．０５
メチルフェニルポリシロキサン　　　２．０
オクタン酸セチル　　　　　　　　　１．０
イソステアリルアルコール　　　　　１．０
クエン酸　　　　　　　　　　　　　　適量
クエン酸ナトリウム　　　　　　　　　適量
エデト酸塩　　　　　　　　　　　　　適量
フェノキシエタノール　　　　　　　　適量
香料　　　　　　　　　　　　　　　　適量
イオン交換水　　　　　　　　　　　　残余」
　
２．甲２
（２−１）（１２２頁５〜７行）
「近年、ポリアクリル酸はその重合度、架橋構造の有無、アクリル酸の中和度等によりさまざまな製品が開発されており、分散、スケール防止、増粘、凝集、吸水等の機能を有し、化粧品から食品、医薬、洗浄、土木等、幅広い分野で活用されている。」
（２−２）（１２２頁８〜１０行）
「化粧品分野で使用されているポリアクリル酸は、架橋ポリアクリル酸であるカルボキシビニルポリマーおよび架橋ポリアクリル酸−メタアクリル酸アルキル共重合体である（アクリレーツ／Ｃ１０−３０アクリレート）クロスポリマー（以下クロスポリマーと略す）等がある。」
　
３．甲３
（３−１）（３７５頁左欄「界面活性剤」の項１〜３行）
「界面活性剤
　分子内に親水性の部分と親油性の部分をあわせもつ両親媒性分子で、表面や界面に吸着、配向して界面張力（界面自由エネルギー）を著しく低下させる物質のことで、その親水基の種類（イオン性）により、陰イオン性界面活性剤、陽イオン性界面活性剤、両性界面活性剤、非イオン性界面活性剤に分類される。」
（３−２）（８４５頁左欄「両親媒性」の項１〜６行）
「両親媒性
　水と油のように性質の異なる媒質の両方となじむ性質があること。こうした性質をもつ分子を両親媒性分子とよぶ。分子内に親水基と親油基をあわせもつ界面活性剤や極性の脂質は、すべて両親媒性分子である。」
　
４．甲４
（４−１）（【請求項１】）
「Ａ）Ｌ−アスコルビン酸およびその誘導体から選ばれる一種または二種以上、Ｂ）高級アルコール、Ｃ）ソルビタン脂肪酸エステル、Ｄ）ヤシ油脂肪酸ショ糖エステル、並びにＥ）カルボキシビニルポリマー、キサンタンガム、変性バレイショデンプン、ヒアルロン酸ナトリウムから選ばれる一種または二種以上の増粘剤を含有することを特徴とする乳化型皮膚外用剤。」
（４−２）（段落【００１７】）
「本発明においては、前記の必須成分に加えて、必要に応じて他の成分、例えば油分、界面活性剤、防腐剤、保湿剤、増粘剤、粉末、香料等、通常化粧料に用いられる成分を適宜配合することができる。また本発明の乳化型皮膚外用剤は、通常の方法によって製造することができ、例えば基礎化粧料、薬用化粧料、外用医薬基剤等として適用することができる。」
（４−３）（段落【００１８】）
「表１〜表３に記載の処方に従って、下記の方法により
乳液
（４−４）（段落【００２０】）
「【表２】
　　　　　　　　　　　　　　　　　　　　　　　　　　　　　　　　　　　　　　　　　　　　　　　　　　　　　　　　　　　　　　　　」
　
第５　当審の判断
１．申立理由１について
（１）本件発明１について 
ア　甲１に記載された発明
　甲１の記載事項（１−９）の処方例３によれば、甲１には、以下の発明が記載されていると認められる。
「２．０質量％のアスコルビン酸グルコシド、
０．０５質量％のアクリル酸／アクリル酸アルキル（Ｃ１０−３０）コポリマー、及び、
０．２質量％のキサンタンガム
を含有するエッセンス。」（以下、「甲１発明」という。）
　
イ　対比及び判断 
（ア）対比
　本件発明１と甲１発明を対比する。
　甲１発明におけるアスコルビン酸グルコシドの含量である「２．０質量％」は、本件発明１の「１．０〜５．０質量％」に含まれる。
　甲１発明におけるキサンタンガムの含量である「０．２質量％」は、本件発明１の「０．０１〜１．０質量％」に含まれる。
　また、甲１発明における「エッセンス」は、本件発明１における「液状化粧料」に含まれる。
　そうすると、本件発明１と甲１発明は、「（Ａ）２．０質量％のアスコルビン酸グルコシド、及び、（Ｃ）０．２質量％のキサンタンガムを含有する液状化粧料。」である点で一致し、以下の点で相違する。
　
（相違点１−１）
　本件発明１は、「０．００１〜０．１質量％のポリアクリル酸又はその金属塩」を含むものであるのに対し、甲１発明は、０．０５質量％のアクリル酸／アクリル酸アルキル（Ｃ１０−３０）コポリマーを含む点。
　
（相違点１−２）
　本件発明１は、「Ｌ値が５０以上の透明又は半透明」であるのに対し、甲１発明にはそのような特定がない点。
　
（イ）判断
ａ　申立人は、相違点１−２について、本件明細書には、本件発明に係る液状化粧料について、美容液であってもよいことが記載されていることから（段落【００２７】）、エッセンス（美容液）として、「Ｌ値が５０以上の透明又は半透明」であるものが普通に存在すること、及び、甲１の段落【００３１】には、甲１に係る組成物が「化粧水（透明、半透明、白濁を含む）」と記載されており、甲１に係る組成物を透明又は半透明とすることが示唆されていることから、甲１の処方例３の液状化粧料（エッセンス（美容液））を「Ｌ値が５０以上の透明又は半透明」なものとすることは、当業者が適宜なし得ることである旨主張する。
　
ｂ　しかしながら、甲１の段落【００３１】の記載は、「本発明の組成物は、特に限定されないが、例えば、化粧水（透明、半透明、白濁を含む）、エッセンス（美容液）、シート状マスクの含浸液、二層タイプ美容液等の液状化粧料として使用するのに適している。」というものであり、化粧水については、透明、半透明であることは記載されているといえるものの、エッセンスの透明性について記載されていない。
　また、甲２は、カルボキシビニルポリマーが化粧品分野で使用されているポリアクリル酸であることを示すために提出された証拠であって、エッセンスの透明性に関する記載は見当たらない。
　このように、甲１及び甲２には、特定の処方例である処方例３のエッセンスを、Ｌ値が５０以上の透明又は半透明とすることを動機付ける記載もないし、そのための組成や調製方法も記載されていない。
　したがって、甲１及び甲２の記載では、甲１発明に係るエッセンスを「Ｌ値が５０以上の透明又は半透明」とすることを当業者が容易に想到し得るとはいえない。
　なお、申立人は、本件明細書の段落【００２７】の記載に基づいて、甲１発明に係るエッセンスを「Ｌ値が５０以上の透明又は半透明」とすることは、当業者が適宜なし得る旨主張するが、本件明細書は、本件優先日前に頒布された刊行物ではないから、申立人の当該主張は採用できない。
　
（ウ）結論
　以上のとおりであるから、相違点１−１について検討するまでもなく、本件発明１は、甲１発明及び甲２に記載された事項に基づいて、当業者が容易に発明をすることができたものとはいえない。
　
（２）本件発明２〜４について
　本件発明２は、本件発明１をさらに限定した発明であるから、甲３について検討するまでもなく、本件発明２に対する申立理由１に理由がないことは明らかである。
　
　本件発明３は、本件発明２をさらに限定した発明であるから、本件発明３に対する申立理由１に理由がないことは明らかである。
　
　本件発明４は、本件発明１〜３をさらに限定した発明であるから、本件発明４に対する申立理由１に理由がないことは明らかである。
　
（３）小括
　よって、申立理由１について、本件発明１〜４が特許法第２９条第２項の規定により特許を受けることができないものであるとはいえない。
　
２．申立理由２について
（１）本件発明１について 
ア　甲４に記載された発明
　甲４の記載事項（４−４）の実施例１及び９の記載によれば、甲４には、以下の発明が記載されていると認められる。
「２．０質量％のアスコルビン酸グルコシド、
０．１質量％のカルボキシビニルポリマー、及び、
０．０５質量％又は０．１質量％のキサンタンガム
を含有する乳液。」（以下、「甲４発明」という。）
　
イ　対比及び判断 
（ア）対比
　本件発明１と甲４発明を対比する。
　甲４発明におけるアスコルビン酸グルコシドの含量である「２．０質量％」は、本件発明１の「１．０〜５．０質量％」に含まれる。
　甲４発明におけるキサンタンガムの含量である「０．０５質量％」及び「０．１質量％」は、本件発明１の「０．０１〜１．０質量％」に含まれる。
　また、甲４発明における「乳液」は、本件発明１における「液状化粧料」に含まれる。
　そうすると、本件発明１と甲４発明は、「（Ａ)２．０質量％のアスコルビン酸グルコシド、及び、（Ｃ）０．０５質量％又は０．１質量％のキサンタンガムを含有する液状化粧料。」である点で一致し、以下の点で相違する。
　
（相違点２−１）
　本件発明１は、「０．００１〜０．１質量％のポリアクリル酸又はその金属塩」を含むものであるのに対し、甲４発明は、０．１質量％のカルボキシビニルポリマーを含む点。
　
（相違点２−２）
　本件発明１は、「Ｌ値が５０以上の透明又は半透明」であるのに対し、甲４発明にはそのような特定がない点。
　
（イ）判断
ａ　申立人は、相違点２−２について、本件明細書には、本件発明に係る液状化粧料について、乳液であってもよいことが記載されていることから（段落【００２７】）、乳液として、「Ｌ値が５０以上の透明又は半透明」であるものが普通に存在すること、及び、甲４には、甲４発明に係る乳液を透明又は半透明のものとすることを妨げる特段の事情は見当たらないことから、甲４の実施例１及び実施例９で製造されている乳液を「Ｌ値が５０以上の透明又は半透明」なものとすることは、当業者が適宜なし得ることである旨主張する。
　
ｂ　しかしながら、甲４及び甲２には、乳液の透明性について何ら記載はなく、特定の処方例である実施例１又は実施例９の乳液を、Ｌ値が５０以上の透明又は半透明とすることを動機付ける記載もないし、そのための組成や調製方法も記載されていない。
　したがって、甲４及び甲２の記載では、甲４発明に係るエッセンスを「Ｌ値が５０以上の透明又は半透明」とすることを当業者が容易に想到し得るとはいえない。
　なお、申立人は、本件明細書の段落【００２７】の記載に基づいて、甲４発明に係る乳液を「Ｌ値が５０以上の透明又は半透明」とすることは、当業者が適宜なし得る旨主張するが、本件明細書は、本件優先日前に頒布された刊行物ではないから、申立人の当該主張は採用できない。
　
（ウ）結論
　以上のとおりであるから、相違点２−１について検討するまでもなく、本件発明１は、甲４発明及び甲２に記載された事項に基づいて、当業者が容易に発明をすることができたものとはいえない。
　
（２）本件発明２〜４について
　本件発明２は、本件発明１をさらに限定した発明であるから、本件発明２に対する申立理由１に理由がないことは明らかである。
　
　本件発明３は、本件発明２をさらに限定した発明であるから、本件発明３に対する申立理由１に理由がないことは明らかである。
　
　本件発明４は、本件発明１〜３をさらに限定した発明であるから、本件発明４に対する申立理由１に理由がないことは明らかである。
　
（３）小括
　よって、申立理由２について、本件発明１〜４が特許法第２９条第２項の規定により特許を受けることができないものであるとはいえない。
　
第６　むすび
　以上のとおりであるから、申立人が主張する申立理由によっては、本件請求項１〜４に係る特許を取り消すことはできない。
　また、他に請求項１〜４に係る特許を取り消すべき理由を発見しない。
　
　よって、特許法第１１４条第４項の規定により、結論のとおり決定する。
【異議決定日】
平成３０年１０月２５日（２０１８．１０．２５）